【事件の表示】
　特願２００８−　８５０７１「解剖学的画像を取得及び／または解析するための方法及び装置」拒絶査定不服審判事件〔平成２０年１０月２３日出願公開、特開２００８−２５３７６４〕について、次のとおり審決する。
【結　論】
　本件審判の請求は、成り立たない。
【理　由】
第１　手続の経緯
　本願は、平成２０年３月２８日（パリ条約による優先権主張２００７年４月３日、米国（ＵＳ））を出願日とする特願２００８−８５０７１号の出願であって、平成２５年１月２５日付けで拒絶理由が通知され、同年７月２９日に意見書及び手続補正書が提出され、同年８月３０日付けで拒絶理由（最後）が通知され、平成２６年２月２８日に意見書が提出され、同年５月３０日付けで拒絶査定がなされ、これに対して同年１０月３日に拒絶査定不服審判の請求がなされ、同時に手続補正がなされたものである。
第２　本件補正
　平成２６年１０月３日付けの手続補正書による補正（以下、「本件補正」という。）は、特許請求の範囲に関しては、本件補正前の（平成２５年７月２９日付けの手続補正書により補正された）請求項１ないし１０において、請求項１ないし３、及び請求項７ないし１０を削除し、請求項４ないし６を、本件補正後の請求項１ないし３としたものである。
　したがって、本件補正は、特許法第１７条の２第５項第１号の請求項の削除を目的とするものである。
第３　本願発明について
　本願の請求項１ないし３に係る発明は、本件補正により補正された特許請求の範囲の請求項１ないし３に記載された事項により特定されるものであるところ、そのうち請求項１に係る発明（以下、「本願発明」という。）は、以下のとおりのものと認める。
　「超音波撮像装置（１０）によって作成された生データを解析するための方法（２００）であって、
前記超音波撮像装置（１０）から取得された、表示可能デュアルモード画像を作成するように保存された生データを処理する工程（２０６）と、
走査セッション後前記生データの取得中に、ユーザ入力がマーカ／カーソルの１つにより不明瞭な関心対象に関連するとき、保存箇所にマーカ／カーソルを表示させるべきか否かを決定する工程（２１０）と、
保存箇所にマーカ／カーソルを表示させるべきか否かに関する前記決定の結果に応じて保存箇所にマーカ／カーソルを備えるまたは備えないようにして、表示可能デュアルモード画像を表示する工程（２０８、２１４）と、
を含む方法。」
　
第４　引用例の記載事項及び引用例に記載された発明
１　引用例に記載の事項
（１）原査定の拒絶の理由に引用され、本願の優先権主張日前に頒布された刊行物である特開平１１−２２１２１６号公報（以下、「引用例」という。）には、次の事項が記載されている。（下線は当審において付加したものである。）
（摘記事項１）
「【発明の属する技術分野】本発明は、
超音波画像表示方法
（摘記事項２）
　「【０００７】図１は、本発明の一実施形態にかかる超音波診断装置を示すブロック図である。この
超音波診断装置１００は、超音波パルスを送信し超音波エコーを受信する超音波探触子１と、走査平面を電子走査して音線信号を取得する送受信制御部２と、前記超音波エコーの強度に基づく画像データを生成するＢモード処理部３と、前記超音波エコーのドプラ成分の位相に基づく画像データを生成するＣＦＭモード処理部４と、前記超音波エコーのドプラ成分のパワーに基づく画像データを生成するＰＤＩモード処理部５と、前記画像データにより表示画像を生成する中央処理部６と、前記表示画像を表示するＣＲＴ７と、操作者が指示を入力する入力装置８とを具備している。前記中央処理部６は、
カーソル表示処理６ａを備えている。
前記入力装置８は、前記カーソル表示処理６ａを制御するカーソルキー８ａを備えている。
【０００８】
前記中央処理部６は、操作者の指示により、
Ｂモード画像Ｉｂを表示すると共に、それと並べてＢモード画像ＩｂとＣＦＭ画像Ｉｃを重ねた複合画像Ｉｘ（またはＢモード画像とＰＤＩ画像を重ねた複合画像）を表示する。最初は、前記カーソル表示処理６ａが起動されておらず、カーソルは表示されていない。この状態でカーソルキー８ａを押すと、前記カーソル表示処理６ａが起動される。
（摘記事項３）
【０００９】図２は、前記カーソル表示処理を示すフロー図である。ステップＳ１では、カーソルを表示する座標Ｘ，Ｙを初期化する。Ｘ＝ｘｏ，Ｙ＝ｙｏここで、ｘｏ，ｙｏは、例えば画面の中央位置である。
【００１０】ステップＳ２では、座標Ｘ，Ｙにカーソルを表示する。最初は、図４に示すように、例えば
画面の中央位置にカーソルＫが表示される。
カーソルキー８ａが
押されてないならステップＳ４へ進み、押されたならステップＳ７へ進む。ステップＳ４では、
Ｘ＝Ｘ＋Δｘ，Ｙ＝Ｙ＋Δｙ
そして、前記ステップＳ２に戻る。上記ステップＳ２〜Ｓ６のループにより、図５に示すように、
１つのカーソルＫを表示し、それを画面内で任意に移動させることが出来る。
【００１１】
ステップＳ７では、
Ｘ１＝ｘ01，Ｙ１＝ｙ01
Ｘ２＝ｘ02，Ｙ２＝ｙ02
ここで、ｘ01，ｙ01は例えばＢモード画像Ｉｂの中央位置であり、ｘ02，ｙ02はＢモード画像Ｉｂ上の位置ｘ01，ｙ01に対応する複合画像Ｉｘ上の位置である。ステップＳ８では、座標Ｘ１，Ｙ１に第１カーソルを表示する。また、座標Ｘ２，Ｙ２に第２カーソルを表示する。最初は、図６に示すように、例えば
Ｂモード画像Ｉｂの中央位置に第１カーソルＫ１が表示され、複合画像Ｉｘの対応位置に第２カーソルＫ２が表示される。
カーソルキー８ａが
押されてないならステップＳ１０へ進み、押されたならカーソル表示処理６ａを終了する。
ステップＳ１０では、
Ｘ１＝Ｘ１＋Δｘ，Ｙ１＝Ｙ１＋Δｙ
Ｘ２＝Ｘ２＋Δｘ，Ｙ２＝Ｙ２＋Δｙ
そして、前記ステップＳ８に戻る。上記ステップＳ８〜Ｓ１２のループにより、図７に示すように、
２つのカーソルＫ１，Ｋ２を表示し、それをＢモード画像Ｉｂおよび複合画像Ｉｘ内で任意に移動させることが出来る。
（摘記事項４）
「【００１２】以上の超音波診断装置１００によれば、Ｂモード画像Ｉｂ上の位置と複合画像Ｉｘ上の対応位置とをカーソルＫ１，Ｋ２がそれぞれ指すから、複合画像Ｉｘ上の血流異常箇所Ｐとそれに対応する組織部位とを明確に視認することが出来るようになる。」
２　引用例に記載された発明
　上記摘記事項を総合すると、引用例には、つぎの発明が記載されていると認められる。
　「超音波画像表示方法であって、
　超音波診断装置１００は、超音波パルスを送信し超音波エコーを受信する超音波探触子１と、走査平面を電子走査して音線信号を取得する送受信制御部２と、前記超音波エコーの強度に基づく画像データを生成するＢモード処理部３と、前記超音波エコーのドプラ成分の位相に基づく画像データを生成するＣＦＭモード処理部４と、前記超音波エコーのドプラ成分のパワーに基づく画像データを生成するＰＤＩモード処理部５と、前記画像データにより表示画像を生成する中央処理部６と、前記表示画像を表示するＣＲＴ７と、操作者が指示を入力する入力装置８とを具備しており、前記中央処理部６は、カーソル表示処理６ａを備え、前記入力装置８は、前記カーソル表示処理６ａを制御するカーソルキー８ａを備えており、
　前記中央処理部６は、操作者の指示により、Ｂモード画像Ｉｂを表示すると共に、それと並べてＢモード画像ＩｂとＣＦＭ画像Ｉｃを重ねた複合画像Ｉｘ（またはＢモード画像とＰＤＩ画像を重ねた複合画像）を表示し、
　最初は、前記カーソル表示処理６ａが起動されておらず、カーソルは表示されておらず、
　この状態でカーソルキー８ａを押すと、前記カーソル表示処理６ａが起動され、画面の中央位置に１つのカーソルＫが表示され、それを画面内で任意に移動させることが出来、
　さらに、カーソルキー８ａが押されたなら、Ｂモード画像Ｉｂの中央位置に第１カーソルＫ１が表示され、複合画像Ｉｘの対応位置に第２カーソルＫ２が表示され、それをＢモード画像Ｉｂおよび複合画像Ｉｘ内で任意に移動させることが出来、
　さらに、カーソルキー８ａが押されたなら、カーソル表示処理６ａを終了する、超音波画像表示方法。」（以下、「引用発明」という。）
第５　本願発明と引用発明との対比
１　引用発明の「超音波診断装置１００」及び「超音波エコー」は、本願発明の「超音波撮像装置（１０）」及び「生データ」に相当するところ、引用発明の「超音波診断装置１００」の「超音波探触子１」によって「受信」した「超音波エコー」「に基づ」いて、「表示画像を表示する」「超音波画像表示方法」は、「表示」した「表示画像」をみて「診断」、つまり解析するための「方法」であるといえるので、本願発明の「超音波撮像装置（１０）によって作成された生データを解析するための方法（２００）」に相当する。
２　引用発明の「操作者の指示により、」「表示」する「Ｂモード画像Ｉｂ」と「それと並べてＢモード画像ＩｂとＣＦＭ画像Ｉｃを重ねた複合画像Ｉｘ（またはＢモード画像とＰＤＩ画像を重ねた複合画像）」は、本願発明の「表示可能デュアルモード画像」に相当するところ、引用発明の「超音波診断装置１００」の「超音波探触子１」によって「受信」された、「操作者の指示により、」「表示」する「Ｂモード画像Ｉｂ」と「それと並べてＢモード画像ＩｂとＣＦＭ画像Ｉｃを重ねた複合画像Ｉｘ（またはＢモード画像とＰＤＩ画像を重ねた複合画像）」を「生成」するように「超音波エコー」を処理することと、本願発明の「前記超音波撮像装置（１０）から取得された、表示可能デュアルモード画像を作成するように保存された生データを処理する工程（２０６）」とは、「前記超音波撮像装置から取得された、表示可能デュアルモード画像を作成するように生データを処理する工程」という点で共通する。
３　引用発明の「カーソル」は、本願発明の「マーカ／カーソル」に相当するところ、上記１及び２を踏まえると、引用発明の「操作者の指示により、Ｂモード画像Ｉｂを表示すると共に、それと並べてＢモード画像ＩｂとＣＦＭ画像Ｉｃを重ねた複合画像Ｉｘ（またはＢモード画像とＰＤＩ画像を重ねた複合画像）を表示し、最初は、前記カーソル表示処理６ａが起動されておらず、カーソルは表示されておらず、この状態でカーソルキー８ａを押すと、前記カーソル表示処理６ａが起動され、画面の中央位置に１つのカーソルＫが表示され、」「さらに、カーソルキー８ａが押されたなら、Ｂモード画像Ｉｂの中央位置に第１カーソルＫ１が表示され、複合画像Ｉｘの対応位置に第２カーソルＫ２が表示され、」「さらに、カーソルキー８ａが押されたなら、カーソル表示処理６ａを終了する」ことは、「超音波エコー」「に基づ」いて「表示画像」を表示している最中、つまり「超音波エコー」の取得中に、「操作者」の「カーソルキー８ａを押す」（押さない）という操作が、「画面の」所定「位置」に「カーソル」を「表示」させたり、「カーソル」の「表示」をなくしたりする（しない）べきかを決定した上での行為であるといえるので、本願発明の「走査セッション後前記生データの取得中に、ユーザ入力がマーカ／カーソルの１つにより不明瞭な関心対象に関連するとき、保存箇所にマーカ／カーソルを表示させるべきか否かを決定する工程（２１０）」と対比すると、「前記生データの取得中に、所定箇所にマーカ／カーソルを表示させるべきか否かを決定する工程」という点で共通する。
４　上記２及び３を踏まえると、引用発明の「操作者の指示により、Ｂモード画像Ｉｂを表示すると共に、それと並べてＢモード画像ＩｂとＣＦＭ画像Ｉｃを重ねた複合画像Ｉｘ（またはＢモード画像とＰＤＩ画像を重ねた複合画像）を表示し、最初は、前記カーソル表示処理６ａが起動されておらず、カーソルは表示されておらず、この状態でカーソルキー８ａを押すと、前記カーソル表示処理６ａが起動され、画面の中央位置に１つのカーソルＫが表示され、」「さらに、カーソルキー８ａが押されたなら、Ｂモード画像Ｉｂの中央位置に第１カーソルＫ１が表示され、複合画像Ｉｘの対応位置に第２カーソルＫ２が表示され、」「さらに、カーソルキー８ａが押されたなら、カーソル表示処理６ａを終了する」ことと、本願発明の「保存箇所にマーカ／カーソルを表示させるべきか否かに関する前記決定の結果に応じて保存箇所にマーカ／カーソルを備えるまたは備えないようにして、表示可能デュアルモード画像を表示する工程（２０８、２１４）」とは、「所定箇所にマーカ／カーソルを表示させるべきか否かに関する前記決定の結果に応じて所定箇所にマーカ／カーソルを備えるまたは備えないようにして、表示可能デュアルモード画像を表示する工程」という点で共通する。
第６　本願発明と引用発明の一致点・相違点
　してみると、本願発明と引用発明は、つぎの点で一致する。
（一致点）
　「超音波撮像装置によって作成された生データを解析するための方法であって、
前記超音波撮像装置から取得された、表示可能デュアルモード画像を作成するように生データを処理する工程と、
前記生データの取得中に、所定箇所にマーカ／カーソルを表示させるべきか否かを決定する工程と、
所定箇所にマーカ／カーソルを表示させるべきか否かに関する前記決定の結果に応じて所定箇所にマーカ／カーソルを備えるまたは備えないようにして、表示可能デュアルモード画像を表示する工程と、
を含む方法。」
　
　また、本願発明と引用発明は、つぎの点で相違する。
（相違点１）
　表示可能デュアルモード画像を表示するために、処理し、取得する生データが、本願発明では、「保存された」ものを処理し、「走査セッション後」に取得するものであるのに対し、引用発明では、生データに相当する超音波エコーが、そのようなものであるか不明である点。
（相違点２）
　所定箇所に表示させるべきか否かに関する決定の結果に応じて所定箇所に備えるまたは備えないようにするマーカ／カーソルについて、本願発明では、「ユーザ入力がマーカ／カーソルの１つにより不明瞭な関心対象に関連するとき、保存」箇所に表示させるべきか否かに関する決定の結果に応じて「保存」箇所に備えるまたは備えないようにするものであるのに対し、引用発明では、マーカ／カーソルに相当するカーソルが、そのようなものであるか不明である点。
第７　当審の判断
１　上記相違点１について
　超音波撮像装置によって作成された生データを解析するための方法において、超音波撮像装置から取得された、表示可能モード画像を作成するように保存された生データを処理し、走査セッション後前記生データの取得中に、前記表示可能モード画像を表示することは、例えば、いずれも原査定の拒絶の理由に周知技術として引用され、本願の優先権主張日前に頒布された刊行物である、特開２００６−１２２２９９号公報、特開２００１−３１４３９９号公報、特開２００６−１５８７９９号公報などに記載されているように、周知の技術である。
　そして、引用発明において、超音波エコーである生データを処理、取得して、表示可能デュアルモード画像を表示するためのタイミングが、走査セッション中か後のいずれかであることは明らかであるから、超音波エコーを処理、取得するに際し、上記周知技術に鑑みて、超音波エコーについて、「保存された」ものを処理し、「走査セッション後」に取得して、表示可能デュアルモード画像を表示し、上記相違点１に係る本願発明の発明特定事項のように構成することは、当業者が容易になし得たことである。
２　上記相違点２について
　超音波撮像装置によって作成された生データを解析するための方法において、前記生データの取得中に、ユーザ入力によりマーカ／カーソルを保存した保存箇所に、前記マーカ／カーソルを備えるようにして、前記表示可能モード画像を表示することは、例えば、いずれも原査定の拒絶の理由に周知技術として引用され、本願の優先権主張日前に頒布された刊行物である、特開２００６−１２２２９９号公報、特開２００１−３１４３９９号公報、特開２００６−１５８７９９号公報などに記載されているように、周知の技術である。
　そして、引用発明において、カーソルは、「複合画像Ｉｘ上の血流異常箇所Ｐとそれに対応する組織部位とを明確に視認する」（摘記事項４を参照。）もので、関心対象を表示するものであるから、関心対象を不明瞭とするカーソルを移動、消去させることは通常行う操作にすぎず、そして、そのカーソルを、所定箇所に表示させるべきか否かに関する決定の結果に応じて所定箇所に備えるまたは備えないようにする際に、消去前のカーソルの所定箇所をユーザ入力により保存しておくことは、上記周知技術を参照するに当業者が容易になし得たことである。
　してみれば、引用発明において、所定箇所に表示させるべきか否かに関する決定の結果に応じて所定箇所に備えるまたは備えないようにするカーソルについて、上記相違点２に係る本願発明の発明特定事項のように「ユーザ入力がマーカ／カーソルの１つにより不明瞭な関心対象に関連するとき、保存」箇所に表示させるべきか否かに関する決定の結果に応じて「保存」箇所に備えるまたは備えないようにすることは、当業者が容易になし得たことである。
２　本願発明の奏する作用効果
　そして、本願発明によってもたらされる作用効果は、引用例に記載された事項及び上記周知技術から当業者が予測し得る程度のものである。
３　まとめ
　してみると、本願発明は、引用発明及び上記周知技術に基いて当業者が容易に発明をすることができたものであるから、特許法第２９条第２項の規定により特許を受けることができない。
　
第８　むすび
　以上のとおり、本願発明は、特許法第２９条第２項の規定により特許を受けることができないものであるから、その他の請求項に係る発明について論及するまでもなく、本願は、拒絶すべきものである。
　よって、結論のとおり審決する。